(57)【要約】【課題】マシンタイプ通信などのマシンツーマシン（Ｍ２Ｍ）通信は、人との対話を必ずしも含まない、エンティティ間のデータ通信を含むことができる。エンティティ間のデータ通信を含むことができる。したがって、マシンタイプ通信事前登録のための方法および装置があれば有利であろう。【解決手段】マシンタイプ通信（ＭＴＣ）事前登録のための方法および装置が提供される。方法は、単一の事前登録または定期的な事前登録を提供し、Ｍ２Ｍアプリケーション機能またはデバイス（ＭＴＣユーザ機器ベース）とすることができる。システム内のデバイスは、グループに分割することができ、グループＩＰアドレスによってアクセスすることができる。２つのウェイクアップサイクルを提供することができ、１つは制御用であり、１つは情報のアップロード用（報告サイクル）である。【選択図】図５
2014147133.tif 000002
【特許請求の範囲】
【請求項１】
マシンタイプ通信（ＭＴＣ）において使用するために構成された無線送受信装置（ＷＴＲＵ）において、
ＭＴＣグループ識別に基づいたＭＴＣウェイクアップサイクルに基づいて、前記ＷＴＲＵを活動化するように構成されたプロセッサと、
前記ＷＴＲＵが活動化されている間に、受信無線リソースの割り当てを受信するように構成された受信機と、
前記割り当てられたリソースを使って、ＭＴＣ報告を送信するよう構成された送信機と
を備えたことを特徴とするＷＴＲＵ。
【請求項２】
前記ＭＴＣウェイクアップサイクルは、ＭＴＣデバイスのグループと同期して、ある時刻に起動することを特徴とする請求項１に記載のＷＴＲＵ。
【請求項３】
前記ＷＴＲＵがアクティブである間に、ＭＴＣ報告トリガを受信するようさらに構成されたことを特徴とする請求項１に記載のＷＴＲＵ。
【請求項４】
ウェイクアップサイクルに基づいて、非活動化するようにさらに構成されたことを特徴とする請求項１に記載のＷＴＲＵ。
【請求項５】
前記ＭＴＣグループ識別は、グループＩＭＳＩであることを特徴とする請求項１に記載のＷＴＲＵ。
【請求項６】
前記ＭＴＣグループ識別は、グループＩＰアドレスであることを特徴とする請求項１に記載のＷＴＲＵ。
【請求項７】
前記ＭＴＣグループは、ＭＴＣデバイスの近接するグループに対するものであることを特徴とする請求項１に記載のＷＴＲＵ。
【請求項８】
第２のＭＴＣグループ識別に基づいた第２のＭＴＣウェイクアップサイクルに基づいて、前記ＷＴＲＵを活動化するようさらに構成されたことを特徴とする請求項１に記載のＷＴＲＵ。
【請求項９】
無線送受信装置（ＷＴＲＵ）における  マシンツーマシン（Ｍ２Ｍ）通信のための方法において、
ＭＴＣグループ識別に基づいたＭＴＣウェイクアップサイクルに基づいて、前記ＷＴＲＵを活動化するステップと、
前記ＷＴＲＵがアクティブである間に、無線リソースの割り当てを受信するステップと、
前記割り当てられたリソースを使って、ＭＴＣ報告を送信するステップと
を備えることを特徴とする方法。
【請求項１０】
前記ＭＴＣウェイクアップサイクルは、ＭＴＣデバイスのグループと同期して、ある時刻に起動することを特徴とする請求項９に記載の方法。
【請求項１１】
前記ＷＴＲＵがアクティブである間に、ＭＴＣ報告トリガを受信するステップをさらに備えることを特徴とする請求項９に記載の方法。
【請求項１２】
ウェイクアップサイクルに基づいて、非活動化するステップをさらに備えることを特徴とする請求項９に記載の方法。
【請求項１３】
前記ＭＴＣグループ識別は、グループＩＭＳＩであることを特徴とする請求項９に記載の方法。
【請求項１４】
前記ＭＴＣグループ識別は、グループＩＰアドレスであることを特徴とする請求項９に記載の方法。
【請求項１５】
前記ＭＴＣグループは、ＭＴＣデバイスの近接するグループに対するものであることを特徴とする請求項９に記載の方法。
【請求項１６】
第２のＭＴＣグループ識別に基づいた第２のＭＴＣウェイクアップサイクルに基づいて、前記ＷＴＲＵを活動化するステップをさらに備えることを特徴とする請求項９に記載の方法。
【発明の詳細な説明】
【背景技術】
【０００１】
本発明は、無線通信に関する。
【０００２】
マシンタイプ通信（ＭＴＣ：ｍａｃｈｉｎｅ−ｔｙｐｅ  ｃｏｍｍｕｎｉｃａｔｉｏｎ）などのマシンツーマシン（Ｍ２Ｍ：ｍａｃｈｉｎｅ  ｔｏ  ｍａｃｈｉｎｅ）通信は、人との対話を必ずしも含まない、エンティティ間のデータ通信を含むことができる。
【発明の概要】
【発明が解決しようとする課題】
【０００３】
エンティティ間のデータ通信を含むことができる。したがって、マシンタイプ通信事前登録（ｍａｃｈｉｎｅ−ｔｙｐｅ  ｃｏｍｍｕｎｉｃａｔｉｏｎ  ｐｒｅｒｅｇｉｓｔｒａｔｉｏｎ）のための方法および装置があれば有利であろう。
【課題を解決するための手段】
【０００４】
マシンタイプ通信（ＭＴＣ）事前登録のための方法および装置が提供される。方法は、単一の事前登録または定期的な事前登録を提供し、マシンツーマシン（Ｍ２Ｍ）アプリケーション機能（ＡＦ：ａｐｐｌｉｃａｔｉｏｎ  ｆｕｎｃｔｉｏｎ）またはデバイス（ＭＴＣユーザ機器ベース）とすることができる。システム内のデバイスは、グループに分割することができ、グループインターネットプロトコル（ＩＰ）アドレスによってアクセスすることができる。２つのウェイクアップサイクルを提供することができ、１つは制御用であり、１つは情報のアップロード用（報告サイクル）である。制御サイクル中に、デバイスは、ウェイクアップし、一斉呼出メッセージがないか、制御チャネルをリスンすることができる。一斉呼出情報に応じて、個々のデバイスまたは全グループは、システムにアクセスすることができる。報告サイクルにおいて、すべてのデバイスは、ウェイクアップし、システムにアクセスして、Ｍ２Ｍシステムに接続し、データをアップロードすることができる。
【０００５】
より詳細な理解は、添付の図面を併用して例によって与えられる、以下の説明から得ることができる。
【発明の効果】
【０００６】
本発明によって、マシンタイプ通信事前登録のための方法および装置が提供される。
【図面の簡単な説明】
【０００７】
【図１Ａ】図１Ａは、１つまたは複数の開示される実施形態を実施できる例示的な通信システムのシステム図である。
【図１Ｂ】図１Ｂは、図１Ａに示された通信システム内で使用できる例示的な無線送受信ユニット（ＷＴＲＵ）のシステム図である。
【図１Ｃ】図１Ｃは、図１Ａに示された通信システム内で使用できる例示的な無線アクセスネットワークおよび例示的なコアネットワークのシステム図である。
【図２】図２は、運営業者ドメインの内部にＭＴＣサーバを有する例示的なマシンタイプ通信（ＭＴＣ）の図である。
【図３】図３は、運営業者ドメインの外部にＭＴＣサーバを有する例示的なＭＴＣの図である。
【図４】図４は、ＭＴＣサーバを有さない例示的なＭＴＣの図である。
【図５】図５は、定期的な事前登録サイクルの一例の図である。
【図６】図６は、単一の事前登録サイクルの図である。
【図７】図７は、ネットワーク制御される定期的なマシンツーマシンアプリケーション機能事前登録およびインターネットプロトコル（ＩＰ）割り当ての方法の一例の図である。
【図８Ａ】図８Ａは、ネットワーク制御される単一のマシンツーマシンアプリケーション機能事前登録および定期的なＩＰ割り当ての方法の一例の図である。
【図８Ｂ】図８Ｂは、ネットワーク制御される単一のマシンツーマシンアプリケーション機能事前登録および定期的なＩＰ割り当ての方法の一例の図である。
【図９Ａ】図９Ａは、ネットワーク制御される単一のマシンツーマシンアプリケーション機能事前登録およびＩＰ割り当ての方法の一例の図である。
【図９Ｂ】図９Ｂは、ネットワーク制御される単一のマシンツーマシンアプリケーション機能事前登録およびＩＰ割り当ての方法の一例の図である。
【発明を実施するための形態】
【０００８】
図１Ａは、１つまたは複数の開示される実施形態を実施できる例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスできるようにすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１つまたは複数のチャネルアクセス方法を利用することができる。
【０００９】
図１Ａに示されるように、通信システム１００は、無線送受信ユニット（無線送受信装置：ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例を挙げると、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、家電製品、およびマシンタイプ通信（ＭＴＣ）デバイスなどを含むことができる。
【００１０】
通信システム１００は、基地局１１４ａおよび基地局１１４ｂも含むことができる。基地局１１４ａ、１１４ｂの各々は、ＷＴＲＵ１０２ａ、１０２ｂ、１０２ｃ、１０２ｄの少なくとも１つと無線でインタフェースを取って、コアネットワーク１０６、インターネット１１０、および／またはネットワーク１１２などの１つまたは複数の通信ネットワークへのアクセスを円滑化するように構成された、任意のタイプのデバイスとすることができる。例を挙げると、基地局１１４ａ、１１４ｂは、送受信機基地局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１１】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、送受信機を３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数の送受信機を利用することができる。
【００１２】
基地局１１４ａ、１１４ｂは、エアインタフェース１１６を介して、ＷＴＲＵ１０２ａ、１０２ｂ、１０２ｃ、１０２ｄの１つまたは複数と通信することができ、エアインタフェース１１６は、任意の適切な無線通信リンク（例えば、無線周波（ＲＦ）、マイクロ波、赤外線（ＩＲ）、紫外線（ＵＶ）、可視光など）とすることができる。エアインタフェース１１６は、任意の適切な無線アクセス技術（ＲＡＴ）を使用して確立することができる。
【００１３】
より具体的には、上で言及したように、通信システム１００は、多元接続システムとすることができ、ＣＤＭＡ、ＴＤＭＡ、ＦＤＭＡ、ＯＦＤＭＡ、およびＳＣ−ＦＤＭＡなどの１つまたは複数のチャネルアクセス方式を利用することができる。例えば、ＲＡＮ  １０４内の基地局１１４ａ、およびＷＴＲＵ１０２ａ、１０２ｂ、１０２ｃは、広帯域ＣＤＭＡ（ＷＣＤＭＡ（登録商標））を使用してエアインタフェース１１６を確立できる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１４】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインタフェース１１６を確立できる、進化型ＵＭＴＳ地上無線アクセス（Ｅ−ＵＴＲＡ）などの無線技術を実施することができる。
【００１５】
他の実施形態では、基地局１１４ａ、およびＷＴＲＵ１０２ａ、１０２ｂ、１０２ｃは、ＩＥＥＥ  ８０２．１６（すなわちマイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭ進化型高速データレート（ＥＤＧＥ）、およびＧＳＭ  ＥＤＧＥ（ＧＥＲＡＮ）などの無線技術を実施することができる。
【００１６】
図１Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を円滑化するための任意の適切なＲＡＴを利用することができる。一実施形態では、基地局１１４ｂ、およびＷＴＲＵ１０２ｃ、１０２ｄは、ＩＥＥＥ  ８０２．１１などの無線技術を実施して、無線ローカルエリアネットワーク（ＷＬＡＮ）を確立することができる。別の実施形態では、基地局１１４ｂ、およびＷＴＲＵ  １０２ｃ、１０２ｄは、ＩＥＥＥ  ８０２．１５などの無線技術を実施して、無線パーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００１７】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１つまたは複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信できることが理解されよう。例えば、Ｅ−ＵＴＲＡ無線技術を利用できるＲＡＮ１０４に接続するのに加えて、コアネットワーク１０６は、ＧＳＭ無線技術を利用する別のＲＡＮ（図示されず）と通信することもできる。
【００１８】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしての役割を果たすこともできる。ＰＳＴＮ１０８は、基本電話サービス（ＰＯＴＳ）を提供する回路交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１つまたは複数のＲＡＮに接続された、別のコアネットワークを含むことができる。
【００１９】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンクを介して異なる無線ネットワークと通信するための複数の送受信機を含むことができる。例えば、図１Ａに示されたＷＴＲＵ１０２ｃは、セルラベースの無線技術を利用できる基地局１１４ａと通信するように、またＩＥＥＥ  ８０２無線技術を利用できる基地局１１４ｂと通信するように構成することができる。
【００２０】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含むことができる。ＷＴＲＵ１０２は、一実施形態との整合性を保ちながら、上記の要素の任意のサブコンビネーションを含むことができる。
【００２１】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入出力処理、および／またはＷＴＲＵ１０２が無線環境で動作できるようにする他の任意の機能を実行することができる。プロセッサ１１８は、送受信機１２０に結合することができ、送受信機１２０は、送信／受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合できることが理解されよう。
【００２２】
送信／受信要素１２２は、エアインタフェース１１６を介して、基地局（例えば基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成できることが理解されよう。
【００２３】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインタフェース１１６を介して無線信号を送信および受信するための２つ以上の送信／受信要素１２２（例えば複数のアンテナ）を含むことができる。
【００２４】
送受信機１２０は、送信／受信要素１２２によって送信される信号を変調し、送信／受信要素１２２によって受信された信号を復調するように構成することができる。上で言及したように、ＷＴＲＵ１０２は、マルチモード機能を有することができる。したがって、送受信機１２０は、ＷＴＲＵ１０２が、例えばＵＴＲＡおよびＩＥＥＥ  ８０２．１１などの複数のＲＡＴを介して通信できるようにするための、複数の送受信機を含むことができる。
【００２５】
ＷＴＲＵ  １０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１３０および／または着脱可能メモリ１３２など、任意のタイプの適切なメモリから情報を入手することができ、それらにデータを記憶することができる。着脱不能メモリ１３０は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ１０２上に物理的に配置されたメモリではなく、サーバまたはホームコンピュータ（図示されず）などの上に配置されたメモリから情報を入手することができ、それにデータを記憶することができる。
【００２６】
プロセッサ１１８は、電源１３４から電力を受け取ることができ、ＷＴＲＵ１０２内の他のコンポーネントへの電力の分配および／または制御を行うように構成することができる。電源１３４は、ＷＴＲＵ１０２に給電するための任意の適切なデバイスとすることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２７】
プロセッサ１１８は、ＧＰＳチップセット１３６に結合することもでき、ＧＰＳチップセット１３６は、ＷＴＲＵ１０２の現在位置に関する位置情報（例えば経度および緯度）を提供するように構成することができる。ＧＰＳチップセット１３６からの情報に加えて、またはその代わりに、ＷＴＲＵ１０２は、基地局（例えば基地局１１４ａ、１１４ｂ）からエアインタフェース１１６を介して位置情報を受け取ることができ、および／または２つ以上の近くの基地局から受信した信号のタイミングに基づいて、自らの位置を決定することができる。ＷＴＲＵ１０２は、一実施形態との整合性を保ちながら、任意の適切な位置決定方法を用いて、位置情報を獲得できることが理解されよう。
【００２８】
プロセッサ１１８は、他の周辺機器１３８にさらに結合することができ、他の周辺機器１３８は、追加的な特徴、機能、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００２９】
図１Ｃは、一実施形態による、ＲＡＮ１０４およびコアネットワーク１０６のシステム図である。上で言及したように、ＲＡＮ１０４は、Ｅ−ＵＴＲＡ無線技術を利用して、エアインタフェース１１６を介してＷＴＲＵ１０２ａ、１０２ｂ、１０２ｃと通信することができる。ＲＡＮ１０４は、コアネットワーク１０６と通信することもできる。
【００３０】
ＲＡＮ１０４は、ｅノードＢ１４０ａ、１４０ｂ、１４０ｃを含むことができるが、ＲＡＮ１０４は、一実施形態との整合性を保ちながら、任意の数のｅノードＢを含むことができることが理解されよう。ｅノードＢ１４０ａ、１４０ｂ、１４０ｃは、各々が、エアインタフェース１１６を介してＷＴＲＵ１０２ａ、１０２ｂ、１０２ｃと通信するための１つまたは複数の送受信機を含むことができる。一実施形態では、ｅノードＢ１４０ａ、１４０ｂ、１４０ｃは、ＭＩＭＯ技術を実施することができる。したがって、ｅノードＢ１４０ａは、例えば、複数のアンテナを使用して、ＷＴＲＵ１０２ａに無線信号を送信し、ＷＴＲＵ１０２ａから無線信号を受信することができる。
【００３１】
ｅノードＢ１４０ａ、１４０ｂ、１４０ｃの各々は、特定のセル（図示されず）に関連付けることができ、無線リソース管理決定、ハンドオーバ決定、ならびにアップリンクおよび／またはダウンリンクにおけるユーザのスケジューリングなどを処理するように構成することができる。図１Ｃに示されるように、ｅノードＢ１４０ａ、１４０ｂ、１４０ｃは、Ｘ２インタフェースを介して互いに通信することができる。
【００３２】
図１Ｃに示されるコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含むことができる。上記の要素の各々は、コアネットワーク１０６の部分として示されているが、これらの要素は、どの１つをとっても、コアネットワーク運営体とは異なる主体によって所有および／または運営できることが理解されよう。
【００３３】
ＭＭＥ１４２は、Ｓ１インタフェースを介して、ＲＡＮ１０４内のｅノードＢ  １４２ａ、１４２ｂ、１４２ｃの各々に接続することができ、制御ノードとしての役割を果たすことができる。例えば、ＭＭＥ  １４２は、ＷＴＲＵ１０２ａ、１０２ｂ、１０２ｃのユーザの認証、ベアラ活動化（アクティベーションactivation）／非活動化（デアクティベーショdeactivation）、ＷＴＲＵ１０２ａ、１０２ｂ、１０２ｃの初期接続中における特定のサービングゲートウェイの選択などを担うことができる。ＭＭＥ１４２は、ＲＡＮ  １０４とＧＳＭまたはＷＣＤＭＡなどの他の無線技術を利用する他のＲＡＮ（図示されず）との間の交換のための制御プレーン機能を提供することもできる。
【００３４】
サービングゲートウェイ１４４は、Ｓ１インタフェースを介して、ＲＡＮ１０４内のｅノードＢ  １４０ａ、１４０ｂ、１４０ｃの各々に接続することができる。サービングゲートウェイ１４４は、一般に、ユーザデータパケットをＷＴＲＵ１０２ａ、１０２ｂ、１０２ｃに／からルーティングおよび転送することができる。サービングゲートウェイ１４４は、ｅノードＢ間ハンドオーバ中におけるユーザプレーンのアンカリング（ａｎｃｈｏｒｉｎｇ）、ダウンリンクデータがＷＴＲＵ１０２ａ、１０２ｂ、１０２ｃに利用可能な場合に行う一斉呼出のトリガ、ならびにＷＴＲＵ１０２ａ、１０２ｂ、１０２ｃのコンテキストの管理および記憶など、他の機能を実行することもできる。
【００３５】
サービングゲートウェイ１４４は、ＰＤＮゲートウェイ１４６に接続することもでき、ＰＤＮゲートウェイ１４６は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００３６】
コアネットワーク１０６は、他のネットワークとの通信を円滑化することができる。例えば、コアネットワーク１０６は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。例えば、コアネットワーク１０６は、コアネットワーク１０６とＰＳＴＮ１０８の間のインタフェースとしての役割を果たすＩＰゲートウェイ（例えばＩＰマルチメディアサブシステム（ＩＭＳ）サーバ）を含むことができ、またはＩＰゲートウェイと通信することができる。加えて、コアネットワーク１０６は、ネットワーク１１２へのアクセスをＷＴＲＵ１０２ａ、１０２ｂ、１０２ｃに提供することができ、ネットワーク１１２は、他のサービスプロバイダによって所有および／または運営される他の有線または無線ネットワークを含むことができる。
【００３７】
（「マシンタイプ通信」または「ＭＴＣ」とも呼ばれる）マシンツーマシン（Ｍ２Ｍ）通信は、様々な分野で使用することができる。セキュリティの分野では、Ｍ２Ｍ通信は、監視システムにおいて、電話陸線のバックアップにおいて、（例えば建物への）物理的接近の制御において、および自動車／ドライバセキュリティにおいて使用することができる。トラッキングおよびトレーシング（ｔｒａｃｋｉｎｇ  ａｎｄ  ｔｒａｃｉｎｇ）の分野では、Ｍ２Ｍ通信は、フリート管理（ｆｌｅｅｔ  ｍａｎａｇｅｍｅｎｔ）、注文管理、走行距離従量制料金（ＰＡＹＤ：Ｐａｙ  Ａｓ  Ｙｏｕ  Ｄｒｉｖｅ）アプリケーション、資産トラッキング、ナビゲーション、交通情報アプリケーション、道路通行料徴収、交通最適化、およびステアリング（ｓｔｅｅｒｉｎｇ）のために使用することができる。支払いシステムの分野では、Ｍ２Ｍ通信は、販売時点管理、自動販売機、顧客ロイヤルティアプリケーション、およびゲーム機において使用することができる。ヘルスケアにおいては、Ｍ２Ｍ通信は、生命徴候の遠隔監視のために、高齢者または障害者の支援のために、ウェブアクセス遠隔医療ポイントにおいて、および遠隔診断において使用することができる。遠隔保守／制御の分野では、Ｍ２Ｍ通信は、プログラム可能論理コントローラ（ＰＬＣ）、センサ、照明、ポンプ、バルブ、エレベータ制御、自動販売機制御、および車両診断において使用することができる。計測の分野では、Ｍ２Ｍ通信は、電力、ガス、水道、暖房、グリッド制御、および工業計測に関するアプリケーションにおいて使用することができる。加えて、マシンタイプ通信（ＭＴＣ）技術に基づいたＭ２Ｍ通信は、顧客サービスなどの分野において使用することができる。
【００３８】
Ｍ２Ｍ通信は、自動車保険の分野においてＰＡＹＤシステムを実施するために使用することができる。例えば、保険会社は、固定保険料の代わりに、自動車の使用量に基づいて、自動車のドライバに請求を行うことができる。これを達成するため、自動車には、Ｍ２Ｍ無線送受信ユニット（ＷＴＲＵ）、ＧＰＳデバイス、およびデータを保険会社に送信する他の様々なセンサが装備される。Ｍ２Ｍ  ＷＴＲＵは、汎用集積回路カード（ＵＩＣＣ）を含むことができる。保険会社は、受信したデータに基づいて、ドライバに請求される料金を設定することができる。保険会社は、Ｍ２Ｍ  ＷＴＲＵがそれによって通信を行う無線ネットワークの運営業者と、ＷＴＲＵが運営業者のネットワークを使用できるように契約を交わすことができる。
【００３９】
トラッキングおよびトレーシングの分野では、自動車レンタル会社は、自動車にＭ２Ｍ  ＷＴＲＵを備え付けて、運転中の自動車の所在位置についての情報を獲得することができる。建設業では、例えば、Ｍ２Ｍ  ＷＴＲＵは、高価な道具または他の機材を追跡するために使用することができる。石油産業では、Ｍ２Ｍ  ＷＴＲＵは、コンテナを追跡するために使用することができる。
【００４０】
多くの計測デバイスは、設置後、大概触れられずにいる。業界によっては、例えば、設置された計器は、設置後、８年以上にわたって、触れられずにいることがある。そのような状況では、Ｍ２Ｍ  ＷＴＲＵ内のＵＩＣＣを保護する必要がある。これが適切に達成されない場合、公益事業者への接続が切断され、それによって、不正行為が助長されるおそれがある。さらに、公益事業者、および／またはＭ２Ｍ  ＷＴＲＵがそれによって通信を行う無線ネットワークの運営業者が変更された場合、問題が生じることがある。例えば、公益事業顧客が、公益事業供給者を１つの会社から別の会社に変更した場合、新しい公益事業供給者は、元の公益事業供給者と同じネットワーク運営業者と契約を交わしていないことがある。この状況は、複雑な会計機構によって対処される場合があり、または新しい公益事業会社は、新しいＭ２Ｍ  ＷＴＲＵを設置するために、もしくは設置済のＭ２Ｍ  ＷＴＲＵを構成し直すために、サービス要員を派遣する必要がある場合がある。しかし、これらの手法はどちらも、コストがかかり、間違いを犯しやすい。
【００４１】
その実施に応じて、Ｍ２Ｍ通信は、いくつかの現在の通信モデルとは異なることがある。例えば、Ｍ２Ｍ通信は、新しいまたは異なる市場シナリオを含むことがある。Ｍ２Ｍ通信は、Ｍ２Ｍ通信が多数のＷＴＲＵを含むことがあり、および／またはＷＴＲＵ当たり非常に僅かのトラフィックしか含まないことがある点でも、いくつかの現在の技術と異なることがある。加えて、いくつかの現在の技術と比べて、Ｍ２Ｍ通信は、配備するのにより僅かなコストおよびより僅かな労力しか必要としないことがある。
【００４２】
Ｍ２Ｍ通信は、移動体通信用グローバルシステム（ＧＳＭ）、ユニバーサル移動体通信システム（ＵＭＴＳ）、ロングタームエボリューション（ＬＴＥ）などの、第３世代パートナシッププロジェクト（３ＧＰＰ）技術に基づいた、および／または電気電子技術者協会（ＩＥＥＥ）と３ＧＰＰ２によって開発された技術などの、他の技術に基づいた、配備済の無線ネットワークを利用することができる。Ｍ２Ｍ通信は、これらの技術に基づいたネットワークを使用して、費用効果の高い方法で、ビジネスソリューションを実現することができる。無線ネットワークがユビキタス配備される状況では、無線ネットワークの利用可能性は、Ｍ２Ｍ  ＷＴＲＵの配備および使用を円滑化および／または促進することができる。加えて、これらの技術のさらなる増強は、Ｍ２Ｍベースのソリューションを展開するさらなる機会を提供することができる。表１は、ＭＴＣ応用例についての上述の実施を要約したものである。
【００４３】
【表１】
2014147133.tif 000003
【００４４】
図２〜図４は、それぞれ、ＭＴＣ応用例のための異なる例示的なアーキテクチャを示している図である。図２は、運営業者ドメイン２２０の内部にＭＴＣサーバ２１０を含む、例示的なＭＴＣアーキテクチャ２００を示している。ＭＴＣデバイス（ＷＴＲＵ）２３０のグループは、ＭＴＣサーバ２１０と通信することができる。ＭＴＣサーバ２１０は、移動体通信ネットワーク（ＰＬＭＮ）と、またＰＬＭＮを介してＭＴＣデバイス２３０と通信することができる。ＭＴＣサーバ２１０は、アプリケーションプログラミングインタフェース（ＡＰＩ）２３５を介してＭＴＣユーザ２４０と通信することができ、ＭＴＣユーザ２４０のためのサービスを実行することができる。各ＭＴＣデバイス２３０は、マシンタイプ通信のための装備を施されたＷＴＲＵとすることができる。
【００４５】
図３は、運営業者ドメイン３２０の外部に配置されたＭＴＣサーバ３１０を含む、例示的なＭＴＣアーキテクチャ３００を示している。ＭＴＣデバイス（ＷＴＲＵ）３３０のグループは、ＭＴＣサーバ３１０と通信することができる。ＭＴＣサーバ３１０は、ＭＴＣユーザ３４０に結合することができる。ＭＴＣデバイス３３０のグループは、運営業者ドメイン３２０を介して通信することができ、運営業者ドメイン３２０は、ＭＴＣサーバ３１０と通信することができる。
【００４６】
図４は、ＭＴＣデバイス（ＷＴＲＵ）が仲介ＭＴＣサーバなしに直接的に通信できる、例示的なＭＴＣアーキテクチャ４００を示している。ＭＴＣデバイス４３０の第１のグループは、運営業者ドメインＡ４１０を介して通信することができる。ＭＴＣデバイス４４０の第２のグループは、運営業者ドメインＢ４２０を介して通信することができる。運営業者ドメインＡ４１０と運営業者ドメインＢ４２０は、互いに通信することができ、それによって、ＭＴＣデバイス４３０の第１のグループとＭＴＣデバイス４４０の第２のグループは、仲介ＭＴＣサーバなしに、それぞれの運営業者ドメイン（運営業者ドメインＡ４１０および運営業者ドメインＢ４２０）を介して通信できるようになる。
【００４７】
Ｍ２Ｍアプリケーション機能（ＡＦ）は、ネットワーク内のＭＴＣ  ＷＴＲＵに代わって、事前登録、登録解除、インターネットプロトコル（ＩＰ）活動化（アクティベーション: activation）、ＩＰ非活動化（デアクティベーション: deactivation）を実行することができる。Ｍ２Ｍ  ＡＦは、ネットワーク要素内に見出すことができる。あるいは、Ｍ２Ｍ  ＡＦは、通信ネットワーク内のスタンドアロンデバイスとすることができる。例示的なＭ２Ｍ  ＡＦは、通信ネットワーク内の１つまたは複数のＷＴＲＵまたは他の要素と通信するために、１つまたは複数の送信機および受信機を含む。
【００４８】
セルまたは地理的エリア内のＭＴＣ  ＷＴＲＵなど、近接したＭＴＣ  ＷＴＲＵは、ネットワークアクセスのために、国際モバイル加入者識別番号（ＩＭＳＩ）またはパケット一時モバイル加入者識別番号（Ｐ−ＴＭＳＩ）など、グループベースの識別情報を使用することができる。加えて、例えば、ＡＦとＭＴＣ  ＷＴＲＵが異なるグループに関連付けられている場合、ＡＦとＭＴＣ  ＷＴＲＵのためのウェイクアップサイクルは、同期させることができる。同じグループ内のＭＴＣ  ＷＴＲＵは、一定の時刻にウェイクアップするように、同期させることができる。異なるグループは、システム全体の有用性および性能を最大化し、輻輳を防止するために、システム（ネットワーク）によって同期させることができる。
【００４９】
事前登録は、ＭＴＣ  ＷＴＲＵがシステムへのアクセスを獲得し、エアインタフェースを介する通常の手順を回避するように、システムがソフトウェア状態（アクセス状態、モビリティ管理状態、および／またはセッション管理状態）をインステート（ｉｎｓｔａｔｅ）／インスタンス化する方法である。これは、アクセスを高速化するために、また無線メッセージの数を削減するために行われる。
【００５０】
Ｍ２Ｍ  ＡＦは、各サイクルの開始時など、タイムリな方法で、ＭＴＣグループのために事前登録、ＩＰ活動化、または両方を行うことができる。グループ内のＭＴＣ  ＷＴＲＵがデータ転送および制御更新を完了した後、関連するＩＰアドレスは、例えばＡＦによって、非活動化することができる。加えて、グループは、例えばＡＦによって、登録解除することができる。単一登録ＭＴＣ  ＷＴＲＵなどのＭＴＣ  ＷＴＲＵは、グループ識別情報およびアカウント番号を使用して、一斉呼出または同報メッセージなどの共通チャネルを介して、更新することができる。定期的登録の場合、制御サイクルは、報告サイクルと一致することができ、グループのすべてのメンバがアウェイクしているときに、更新を実行することができる。ネットワークは、ウェイクアップサイクル中に、ネットワークにアクセスし、定められた機能を実行するように、ＭＴＣ  ＷＴＲＵを開始またはトリガすることができる。
【００５１】
Ｍ２Ｍ  ＡＦは、ＭＴＣグループのために、事前登録およびＩＰアドレスのＩＰ活動化を行うことができ、ネットワークは、ネットワークアクセスのために、データプラン情報などのトラフィックチャネル情報およびＩＰアドレスを、グループに伝達することができる。報告期間中は、ＩＰの上のトラフィックチャネルシグナリングを使用して、制御シグナリングを行うことができる。例えば、システムまたはネットワークが、保守動作、またはソフトウェアアップグレードもしくは新しい情報／構成のダウンロードを実行する場合に、ＩＰの上のシグナリングを利用することができる。これらの動作は、デバイスがデータをシステムまたはネットワークにアップロードした後、またはアップロードする前の、報告期間中に達成することができる。事前登録されたＭＴＣ  ＷＴＲＵによる、グループＩＤを使用したネットワークへのアクセスの試みは、拒否することができる。ＭＴＣ  ＷＴＲＵは、独立して登録を実行できないことがある。
【００５２】
図５は、ＭＴＣデバイスのグループのための例示的な定期的な事前登録サイクル５００である。定期的な事前登録サイクルでは、ＭＴＣデバイスは、グループＩＤに基づいて、サイクルベースの事前登録／登録解除要求、サイクルベースのＩＰ活動化／非活動化要求、チャネル情報、およびＩＰアドレッシングを受け取ることができる。
【００５３】
説明の目的で、４つのＭＴＣデバイスグループが示されており、それらは、ＭＴＣデバイスグループ５４０、ＭＴＣデバイスグループ５５０、ＭＴＣデバイスグループ５６０、およびＭＴＣデバイスグループ５７０と呼ばれることがある。各ＭＴＣデバイスグループは、複数のＭＴＣデバイスを含むことができる。例えば、ＭＴＣデバイスグループ５４０は、ＭＴＣデバイス１〜Ｎを含むことができ、ＭＴＣデバイスグループ５５０は、ＭＴＣデバイス１〜Ｍを含むことができ、ＭＴＣデバイスグループ５６０は、ＭＴＣデバイス１〜Ｋを含むことができ、ＭＴＣデバイスグループ５７０は、ＭＴＣデバイス１〜Ｊを含むことができる。各ＭＴＣデバイスグループは、セル識別子およびグループ識別（Ｇ−ＩＤ）番号に関連付けることができる。例えば、ＭＴＣデバイスグループ５４０は、セル＃１およびＧ−ＩＤ  ＃ｘに関連付けることができ、ＭＴＣデバイスグループ５５０は、セル＃ｑおよびＧ−ＩＤ  ＃ｐに関連付けることができ、ＭＴＣデバイスグループ５６０は、セル＃ｖおよびＧ−ＩＤ  ＃ｚに関連付けることができ、ＭＴＣデバイスグループ５７０は、セル＃ＹおよびＧ−ＩＤ  ＃ｓに関連付けることができる。図５は、Ｍ２Ｍ  ＡＦ  ５２０と通信できるＭ２Ｍユーザ５１０も示しており、Ｍ２Ｍ  ＡＦ  ５２０はまた、コアネットワーク５３０と通信することができる。ＭＴＣデバイスグループ５４０、５５０、５６０、５７０は、ＣＮ５３０と通信することができる。
【００５４】
動作上、Ｍ２Ｍユーザ５１０は、ＭＴＣデバイスのグループに情報を送信するよう求める要求を、Ｍ２Ｍ  ＡＦ  ５２０に送信することができる（５１５）。要求は、定期的なトリガ、イベントベースのトリガ、他の同様のトリガ、またはそれらの組み合わせとすることができる。Ｍ２Ｍユーザ５１０に応答して、Ｍ２Ｍ  ＡＦ  ５２０は、ＣＮ５３０にサービス要求を送ること、または時間ベースのイベントをトリガすることができる（５２５）。サービス要求またはトリガは、セルまたは対応するＧ−ＩＤのリスト、サイクルベースの事前登録／登録解除要求、サイクルベースのＩＰ活動化／非活動化要求、および時間窓を含むことができる。時間窓は、グループがウェイクアップする時間として定義することができる。その後、ＣＮ５３０は、サイクルベースの事前登録／登録解除、サイクルベースのＩＰ活動化／非活動化を求める要求を送信すること、およびチャネル情報をＧ−ＩＤに伝達することができる（５３５）。チャネル情報は、チャネルＩＤ、専用チャネルかそれとも共用チャネルか、変調のタイプ、タイミングフレームフォーマットなどを含むことができる。簡潔にするために、各セルは独立して示されているが、セルは重なり合うことができることは明らかであろう。ＭＴＣ  ＷＴＲＵは、１つまたは複数のセルまたはグループと関連付けることができる。セルは、チャネルＩＤおよびＩＰアドレスと関連付けることができる。
【００５５】
図６は、ＭＴＣデバイスのグループのための例示的な単一の事前登録サイクル６００である。単一の事前登録サイクルでは、ＭＴＣデバイスは、グループＩＤに基づいて、１回または初期グループ事前登録要求、サイクルベースのＩＰ活動化／非活動化要求、ならびにユーザプランチャネル情報およびＩＰアドレッシングを受け取ることができる。
【００５６】
説明の目的で、４つのＭＴＣデバイスグループが示されており、それらは、ＭＴＣデバイスグループ６４０、ＭＴＣデバイスグループ６５０、ＭＴＣデバイスグループ６６０、およびＭＴＣデバイスグループ６７０と呼ばれることがある。各ＭＴＣデバイスグループは、複数のＭＴＣデバイスを含むことができる。例えば、ＭＴＣデバイスグループ６４０は、ＭＴＣデバイス１〜Ｎを含むことができ、ＭＴＣデバイスグループ６５０は、ＭＴＣデバイス１〜Ｍを含むことができ、ＭＴＣデバイスグループ６６０は、ＭＴＣデバイス１〜Ｋを含むことができ、ＭＴＣデバイスグループ６７０は、ＭＴＣデバイス１〜Ｊを含むことができる。各ＭＴＣデバイスグループは、セル識別子およびグループ識別（Ｇ−ＩＤ）番号に関連付けることができる。例えば、ＭＴＣデバイスグループ６４０は、セル＃１およびＧ−ＩＤ  ＃ｘに関連付けることができ、ＭＴＣデバイスグループ６５０は、セル＃ｑおよびＧ−ＩＤ  ＃ｐに関連付けることができ、ＭＴＣデバイスグループ６６０は、セル＃ｖおよびＧ−ＩＤ  ＃ｚに関連付けることができ、ＭＴＣデバイスグループ６７０は、セル＃ＹおよびＧ−ＩＤ  ＃ｓに関連付けることができる。図６は、Ｍ２Ｍ  ＡＦ  ６２０と通信できるＭ２Ｍユーザ６１０も示しており、Ｍ２Ｍ  ＡＦ  ６２０はまた、コアネットワーク６３０と通信することができる。ＭＴＣデバイスグループ６４０、６５０、６６０、６７０は、ＣＮ  ６３０と通信することができる。
【００５７】
動作上、Ｍ２Ｍユーザ６１０は、ＭＴＣデバイスのグループに情報を送信するよう求める要求を、Ｍ２Ｍ  ＡＦ  ６２０に送信することができる（６１５）。要求は、定期的なトリガ、イベントベースのトリガ、他の同様のトリガ、またはそれらの組み合わせとすることができる。Ｍ２Ｍユーザ６１０に応答して、Ｍ２Ｍ  ＡＦ  ６２０は、ＣＮ  ６３０にサービス要求を送信すること、または時間ベースのイベントをトリガすることができる（６２５）。サービス要求またはトリガは、セルまたは対応するＧ−ＩＤのリスト、初期または１つの事前登録要求、ＩＰ活動化／非活動化要求、および時間窓を含むことができる。その後、ＣＮ  ６３０は、初期または１つのグループ事前登録要求、サイクルベースのＩＰ活動化／非活動化要求を求める要求を送信すること、ならびにユーザプランチャネル情報およびＩＰアドレッシングをＧ−ＩＤに伝達することができる（６３５）。チャネル情報は、チャネルＩＤ、専用チャネルかそれとも共用チャネルか、変調のタイプ、タイミングフレームフォーマットなどを含むことができる。簡潔にするために、各セルは独立して示されているが、セルは重なり合うことができることは明らかであろう。ＭＴＣ  ＷＴＲＵは、１つまたは複数のセルまたはグループと関連付けることができる。セルは、チャネルＩＤおよびＩＰアドレスと関連付けることができる。
【００５８】
図７は、ネットワーク制御される定期的なＭ２Ｍ  ＡＦ事前登録およびＩＰ割り当てについての例示的なフローチャート７００を示している図である。この方法では、Ｍ２Ｍアプリケーション機能（ＡＦ）は、ネットワーク内のＭＴＣ  ＷＴＲＵに代わって、事前登録、登録解除、インターネットプロトコル（ＩＰ）活動化、ＩＰ非活動化を実行することができる。セルまたは地理的エリア内のＭＴＣ  ＷＴＲＵなど、近接したＭＴＣ  ＷＴＲＵは、ネットワークアクセスのために、国際モバイル加入者識別番号（ＩＭＳＩ）またはパケット一時モバイル加入者識別番号（Ｐ−ＴＭＳＩ）など、グループベースの識別情報を使用することができる。加えて、例えば、ＡＦとＭＴＣ  ＷＴＲＵが異なるグループに関連付けられている場合、ＡＦとＭＴＣ  ＷＴＲＵのためのウェイクアップサイクルは、同期させることができる。同じグループ内のＷＴＲＵは、一定の時刻にウェイクアップするように、同期させることができる。異なるグループは、システム全体の有用性および性能を最大化し、輻輳を防止するために、システム（ネットワーク）によって同期させることができる。
【００５９】
Ｍ２Ｍ  ＡＦは、各サイクルの開始時など、タイムリな方法で、ＭＴＣグループのために事前登録、ＩＰ活動化、または両方を行うことができる。ネットワークは、ネットワークアクセスのために、データプラン情報などのトラフィックチャネル情報およびＩＰアドレスを、グループに伝達することができる。グループ内のＭＴＣ  ＷＴＲＵがデータ転送および制御更新を完了した後、関連するＩＰアドレスは、例えばＡＦによって、非活動化することができる。加えて、グループは、例えばＡＦによって、登録解除することができる。単一登録ＭＴＣ  ＷＴＲＵなどのＭＴＣ  ＷＴＲＵは、グループ識別情報およびアカウント番号を使用して、一斉呼出または同報メッセージなどの共通チャネルを介して、更新することができる。
【００６０】
ネットワーク制御される定期的なＭ２Ｍ  ＡＦ事前登録およびＩＰ割り当てプロセスは、すべてのＭＴＣ  ＷＴＲＵに電源が投入された後、開始することができる（７０５）。事前登録は、ウェイクアップ／すべてのＭＴＣ  ＷＴＲＵへの電源投入（７９０、７９５）に基づいて定期的に行われる。Ｍ２Ｍ  ＡＦは、グループＩＤを使用して事前登録を実行することができ、ＩＰアドレス割り当てをトリガすることができる（７１０）。ネットワークは、認可および認証を実行すること（７１５）、ＭＴＣグループのためのＭ２Ｍ状態機械を開始すること（７２０）、ＭＴＣ  ＷＴＲＵグループベースのＰ−ＴＭＳＩを割り当てること（７２５）、ＭＴＣ  ＷＴＲＵグループベースのＩＰアドレスを割り当てる、または活動化すること（７３０）、Ｍ２Ｍ  ＡＦに活動化プロセスを示すために肯定応答（ＡＣＫ）を送信すること（７３５）、アクセスチャネル情報、ＩＰアドレス割り当ておよびユーザプレーン無線リソース情報を用いてＭＴＣ  ＷＴＲＵを更新すること（７４０）ができる。
【００６１】
ＭＴＣ  ＷＴＲＵは、送信を開始することができる。送信は、事前設定された順序に基づいて、ネットワーク定義された順序に基づいて、またはランダムに開始することができる（７４５）。Ｍ２Ｍ運営業者は、すべてのＭＴＣ  ＷＴＲＵがＭ２Ｍサーバに登録することを要求することがある（７５０）。すべてのＭＴＣ  ＷＴＲＵを登録する必要がある場合、各ＭＴＣ  ＷＴＲＵは、ユニフォームリソース識別子／ユニフォームリソースロケーション（ＵＲＩ）／（ＵＲＬ）を使用して、サービス登録を実行することができる（７６０）。ＵＲＩ／ＵＲＬは、Ｍ２Ｍアカウント番号、または電話番号、拡張子、およびＭＳＩＳＤＮなどの他の任意の識別子に基づくことができる。ＭＴＣ  ＷＴＲＵは、Ｍ２Ｍ（ｘ）サーバにアクセスし、アカウントベースのＵＲＩ／ＵＲＬを使用してデータをアップロードすることができる（７６５）。すべてのＭＴＣ  ＷＴＲＵを登録する必要がない場合、Ｍ２Ｍ  ＡＦが、事前登録を実行することができ、または第１（マスタまたはアルファ）のＷＴＲＵが、登録を実行することができる（７５５）。それが完了すると、以降のすべてのＭＴＣ  ＷＴＲＵは、Ｍ２Ｍ（ｘ）サーバにアクセスし、アカウントベースのＵＲＩ／ＵＲＬを使用してデータをアップロードすることができる（７６５）。その後、ＭＴＣ  ＷＴＲＵは、制御更新を取得することができる（７７０）。最後の送信が完了した場合（７７５）、Ｍ２Ｍ  ＡＦは、ネットワークからの登録解除を行うことができ、ネットワークは、ＩＰアドレスおよび無線リソースを解放することができる（７８０）。その後、ＭＴＣ  ＷＴＲＵは、スリープサイクルを開始することができる（７８５）。そうではなく、これが最後の送信ではない場合、ＭＴＣ  ＷＴＲＵは、スリープサイクルを開始することができる（７８５）。
【００６２】
ＭＴＣ  ＷＴＲＵは、スリープサイクルが終了すると、ウェイクアップすることができ、方法を再開することができる。スリープサイクルの後には、ウェイクアップサイクルが続くことができ（７９０）、その後、定期的なＭ２Ｍ  ＡＦ事前登録およびＩＰ割り当てプロセスが再び開始する。ウェイクアップサイクルは、ネットワークによって、ＭＴＣデバイスによってランダムに、事前設定によって、およびそれらの組み合わせによってスケジュールすることができる。
【００６３】
図８Ａおよび図８Ｂは、ネットワーク制御される単一のＭ２Ｍ  ＡＦ事前登録および定期的なＩＰ割り当てのための例示的なフローチャート８００を示している図である。この方法では、Ｍ２Ｍアプリケーション機能（ＡＦ）は、ネットワーク内のＭＴＣ  ＷＴＲＵに代わって、事前登録、登録解除、インターネットプロトコル（ＩＰ）活動化、および／またはＩＰ非活動化を実行することができる。セルまたは地理的エリア内のＭＴＣ  ＷＴＲＵなど、近接したＭＴＣ  ＷＴＲＵは、ネットワークアクセスのために、国際モバイル加入者識別番号（ＩＭＳＩ）またはパケット一時モバイル加入者識別番号（Ｐ−ＴＭＳＩ）など、グループベースの識別情報を使用することができる。加えて、例えば、ＡＦとＭＴＣ  ＷＴＲＵが異なるグループに関連付けられている場合、ＡＦとＭＴＣ  ＷＴＲＵのためのウェイクアップサイクルは、同期させることができる。同じグループ内のＷＴＲＵは、一定の時刻にウェイクアップするように、同期させることができる。異なるグループは、システム全体の有用性および性能を最大化し、輻輳を防止するために、システム（ネットワーク）によって同期させることができる。
【００６４】
Ｍ２Ｍ  ＡＦは、各サイクルの開始時など、タイムリな方法で、ＭＴＣグループのために事前登録、ＩＰ活動化、または両方を行うことができる。ネットワークは、ネットワークアクセスのために、データプラン情報などのトラフィックチャネル情報およびＩＰアドレスを、グループに伝達することができる。グループ内のＭＴＣ  ＷＴＲＵがデータ転送および制御更新を完了した後、関連するＩＰアドレスは、例えばＡＦによって、非活動化することができる。加えて、グループは、例えばＡＦによって、登録解除することができる。単一登録ＭＴＣ  ＷＴＲＵなどのＭＴＣ  ＷＴＲＵは、グループ識別情報およびアカウント番号を使用して、一斉呼出または同報メッセージなどの共通チャネルを介して、更新することができる。
【００６５】
ネットワーク制御される単一のＭ２Ｍ  ＡＦ事前登録および定期的なＩＰ割り当てプロセスは、すべてのＭＴＣ  ＷＴＲＵに電源が投入された後、開始することができる（８０２）。Ｍ２Ｍ  ＡＦは、グループＩＤを使用して事前登録を実行することができる（８０４）。ネットワークは、認可および認証を実行すること（８０６）、ＭＴＣグループのためのＭ２Ｍ状態機械を開始すること（８０８）、グループベースのＰ−ＴＭＳＩを割り当てること（８１０）ができる。
【００６６】
Ｍ２Ｍ  ＡＦは、ＩＰアドレス割り当てをトリガすることができる（８１２）。ネットワークは、グループベースのＩＰアドレスを割り当てる、または活動化すること（８１４）、Ｍ２Ｍ  ＡＦに活動化プロセスを知らせるために肯定応答（ＡＣＫ）を送信すること（８１６）、アクセスチャネル情報、およびＩＰアドレス割り当てを用いてＭＴＣ  ＷＴＲＵを割り当て、更新することができる。更新は、ユーザプレーン無線リソース情報を含むことができる（８１８）。
【００６７】
ＭＴＣ  ＷＴＲＵは、送信を開始することができる。送信は、事前設定された順序に基づいて、ネットワーク定義された順序に基づいて、またはランダムに開始することができる（８２０）。Ｍ２Ｍ運営業者は、すべてのＭＴＣ  ＷＴＲＵがＭ２Ｍサーバに登録することを要求することがある（８２２）。すべてのＭＴＣ  ＷＴＲＵを登録する必要がある場合、各ＭＴＣ  ＷＴＲＵは、ユニフォームリソース識別子／ユニフォームリソースロケーション（ＵＲＩ）／（ＵＲＬ）を使用して、サービス登録を実行することができる（８２６）。ＵＲＩ／ＵＲＬは、Ｍ２Ｍアカウント番号、または電話番号、拡張子、およびＭＳＩＳＤＮなどの他の任意の識別子に基づくことができる。ＭＴＣ  ＷＴＲＵは、Ｍ２Ｍ（ｘ）サーバにアクセスし、アカウントベースのＵＲＩ／ＵＲＬを使用してデータをアップロードすることができる（８２８）。すべてのＭＴＣ  ＷＴＲＵを登録する必要がない場合、Ｍ２Ｍ  ＡＦが、事前登録を実行することができ、または第１（マスタまたはアルファ）のＷＴＲＵが、登録を実行することができる（８２４）。それが完了すると、以降のすべてのＭＴＣ  ＷＴＲＵは、Ｍ２Ｍ（ｘ）サーバにアクセスし、アカウントベースのＵＲＩ／ＵＲＬを使用してデータをアップロードすることができる（８２８）。その後、ＭＴＣ  ＷＴＲＵは、制御更新を取得することができる（８３０）。最後の送信が完了した場合（８３２）、Ｍ２Ｍ  ＡＦは、ＩＰアドレスの解放をトリガすることができ、ネットワークは、登録を維持し、無線リソースおよびＩＰアドレスを解放することができる（８３４）。その後、ＭＴＣ  ＷＴＲＵは、スリープサイクルを開始することができる（８３６）。そうではなく、これが最後の送信ではない場合（８３２）、ＭＴＣ  ＷＴＲＵは、スリープサイクルを開始することができる（８３６）。
【００６８】
スリープサイクル（８３６）に続いて、Ｍ２Ｍ  ＡＦまたはＭ２Ｍユーザは、個別またはシステムベースの更新を実行すること、ネットワーク内においてＩＰアドレス割り当てを活動化することを決定し、個別ＩＤまたはグループＩＤなどのＭＴＣ  ＩＤを有するサービス要求を転送することができる。ネットワークは、ＭＴＣ  ＩＤを有する一斉呼出を送信することができる。また、ＭＴＣ  ＷＴＲＵは、スリープサイクルからウェイクアップし、例えば、制御チャネル（ＣＣＨ）またはＩＰマルチキャスト上にシステム更新情報がないか、リスンすることができる（８５０）。ウェイクアップサイクルは、ネットワークによって、ＭＴＣデバイスによってランダムに、事前設定によって、およびそれらの組み合わせによってスケジュールすることができる。
【００６９】
ＭＴＣ  ＷＴＲＵが制御サイクルにあるという判定に応答して（８５２）、ＭＴＣ  ＷＴＲＵは、一斉呼出メッセージを受信したかどうかを判定することができる（８５６）。一斉呼出メッセージを受信していない場合、ＭＴＣ  ＷＴＲＵは、システム更新がないか、リスンし続けることができる。一斉呼出メッセージを受信した場合、ＭＴＣ  ＷＴＲＵは、一斉呼出メッセージがグループ一斉呼出メッセージかどうかを判定することができる（８５８）。一斉呼出メッセージがグループ一斉呼出メッセージではない場合、ＭＴＣ  ＷＴＲＵは、無線リソースの獲得（８６０）に進むことができる。
【００７０】
１つまたは複数のアクションを実行して、無線リソースを獲得した（８６０）後、ＭＴＣ  ＷＴＲＵは、ユーザプレーン無線リソース情報を獲得することができる（８６２）。必要であれば、ＭＴＣ  ＷＴＲＵは、ＵＲＩ／ＵＲＬを使用して、サービス登録を実行することができる（８６４）。ＵＲＩ／ＵＲＬは、Ｍ２Ｍアカウント番号、または電話番号、拡張子、およびＭＳＩＳＤＮなどの他の任意の識別子に基づくことができる。ＭＴＣ  ＷＴＲＵは、Ｍ２Ｍ（ｘ）サーバにアクセスし、アカウントベースのＵＲＩ／ＵＲＬを使用してデータをアップロードすることができる（８６６）。その後、ＭＴＣ  ＷＴＲＵは、スリープサイクルを開始することができる（８３６）。
【００７１】
一斉呼出メッセージがグループ一斉呼出メッセージである場合、アクセスチャネル情報およびＩＰアドレス割り当てを用いたネットワークによるＭＴＣ  ＷＴＲＵの割り当ておよび更新に基づいて、登録方法を再開することができる。更新は、ユーザプレーン無線リソース情報を含むことができる（８１８）。
【００７２】
ＭＴＣ  ＷＴＲＵが制御サイクルにないという判定に応答して、ＭＴＣ  ＷＴＲＵは、報告サイクルを実行することができ（８５４）、アクセスチャネル情報およびＩＰアドレス割り当てを用いたネットワークによるＭＴＣ  ＷＴＲＵの割り当ておよび更新に基づいて、登録方法を再開することができる。更新は、ユーザプレーン無線リソース情報を含むことができる（８１８）。
【００７３】
グループ一斉呼出メッセージが送信されたかどうか、またＭＴＣ  ＷＴＲＵが制御サイクル更新にあるかどうかの判定の後、ＭＴＣ  ＷＴＲＵは、送信を開始することができる。送信は、事前設定された順序に基づいて、ネットワーク定義された順序に基づいて、またはランダムに開始することができる（８２０）。Ｍ２Ｍ運営業者は、すべてのＭＴＣ  ＷＴＲＵがＭ２Ｍサーバに登録することを要求することがある（８２２）。すべてのＭＴＣ  ＷＴＲＵを登録する必要がある場合、各ＭＴＣ  ＷＴＲＵは、ユニフォームリソース識別子／ユニフォームリソースロケーション（ＵＲＩ）／（ＵＲＬ）を使用して、サービス登録を実行することができる（８２６）。ＭＴＣ  ＷＴＲＵは、Ｍ２Ｍ（ｘ）サーバにアクセスし、アカウントベースのＵＲＩ／ＵＲＬを使用してデータをアップロードすることができる（８２８）。すべてのＭＴＣ  ＷＴＲＵを登録する必要がない場合、Ｍ２Ｍ  ＡＦが、事前登録を実行することができ、または第１（マスタまたはアルファ）のＷＴＲＵが、登録を実行することができる（８２４）。それが完了すると、以降のすべてのＭＴＣ  ＷＴＲＵは、Ｍ２Ｍ（ｘ）サーバにアクセスし、アカウントベースのＵＲＩ／ＵＲＬを使用してデータをアップロードすることができる（８２８）。その後、ＭＴＣ  ＷＴＲＵは、制御更新を取得することができる（８３０）。最後の送信が完了した場合（８３２）、Ｍ２Ｍ  ＡＦは、ＩＰアドレスの解放をトリガすることができ、ネットワークは、登録を維持し、無線リソースおよびＩＰアドレスを解放することができる（８３４）。その後、ＭＴＣ  ＷＴＲＵは、スリープサイクルを開始することができる（８３６）。そうではなく、これが最後の送信ではない場合（８３２）、ＭＴＣ  ＷＴＲＵは、スリープサイクルを開始することができる（８３６）。
【００７４】
図９Ａおよび図９Ｂは、ネットワーク制御される単一のＭ２Ｍ  ＡＦ事前登録およびＩＰ割り当てのための例示的なフローチャート９００を示している。この方法では、Ｍ２Ｍアプリケーション機能（ＡＦ）は、ネットワーク内のＭＴＣ  ＷＴＲＵに代わって、事前登録、登録解除、インターネットプロトコル（ＩＰ）活動化、および／またはＩＰ非活動化を実行することができる。セルまたは地理的エリア内のＭＴＣ  ＷＴＲＵなど、近接したＭＴＣ  ＷＴＲＵは、ネットワークアクセスのために、国際モバイル加入者識別番号（ＩＭＳＩ）またはパケット一時モバイル加入者識別番号（Ｐ−ＴＭＳＩ）など、グループベースの識別情報を使用することができる。加えて、例えば、ＡＦとＭＴＣ  ＷＴＲＵが異なるグループに関連付けられている場合、ＡＦとＭＴＣ  ＷＴＲＵのためのウェイクアップサイクルは、同期させることができる。同じグループ内のＷＴＲＵは、一定の時刻にウェイクアップするように、同期させることができる。異なるグループは、システム全体の有用性および性能を最大化し、輻輳を防止するために、システム（ネットワーク）によって同期させることができる。
【００７５】
Ｍ２Ｍ  ＡＦは、各サイクルの開始時など、タイムリな方法で、ＭＴＣグループのために事前登録、ＩＰ活動化、または両方を行うことができる。ネットワークは、ネットワークアクセスのために、データプラン情報などのトラフィックチャネル情報およびＩＰアドレスを、グループに伝達することができる。グループ内のＭＴＣ  ＷＴＲＵがデータ転送および制御更新を完了した後、関連するＩＰアドレスは、例えばＡＦによって、非活動化することができる。加えて、グループは、例えばＡＦによって、登録解除することができる。単一登録ＭＴＣ  ＷＴＲＵなどのＭＴＣ  ＷＴＲＵは、グループ識別情報およびアカウント番号を使用して、一斉呼出または同報メッセージなどの共通チャネルを介して、更新することができる。
【００７６】
ネットワーク制御される単一のＭ２Ｍ  ＡＦ事前登録およびＩＰ割り当てプロセスは、すべてのＭＴＣ  ＷＴＲＵに電源が投入された後、開始することができる（９０２）。Ｍ２Ｍ  ＡＦは、グループＩＤを使用して事前登録を実行することができる（９０４）。ネットワークは、認可および認証を実行すること（９０６）、ＭＴＣグループのためのＭ２Ｍ状態機械を開始すること（９０８）、グループベースのＰ−ＴＭＳＩを割り当てること（９１０）ができる。
【００７７】
Ｍ２Ｍ  ＡＦは、ＩＰアドレス割り当てをトリガすることができる（９１２）。ネットワークは、グループベースのＩＰアドレスを割り当てる、または活動化すること（９１４）、Ｍ２Ｍ  ＡＦに活動化プロセスを知らせるために肯定応答（ＡＣＫ）を送ること（９１６）、アクセスチャネル情報、およびＩＰアドレス割り当てを用いてＭＴＣ  ＷＴＲＵを割り当て、更新することができる。更新は、ユーザプレーン無線リソース情報を含むことができる（９１８）。
【００７８】
ＭＴＣ  ＷＴＲＵは、送信を開始することができる。送信は、事前設定された順序に基づいて、ネットワーク定義された順序に基づいて、またはランダムに開始することができる（９２０）。Ｍ２Ｍ運営業者は、すべてのＭＴＣ  ＷＴＲＵがＭ２Ｍサーバに登録することを要求することがある（９２２）。すべてのＭＴＣ  ＷＴＲＵを登録する必要がある場合、各ＭＴＣ  ＷＴＲＵは、ユニフォームリソース識別子／ユニフォームリソースロケーション（ＵＲＩ）／（ＵＲＬ）を使用して、サービス登録を実行することができる（９２６）。ＵＲＩ／ＵＲＬは、Ｍ２Ｍアカウント番号、または電話番号、拡張子、およびＭＳＩＳＤＮなどの他の任意の識別子に基づくことができる。ＭＴＣ  ＷＴＲＵは、Ｍ２Ｍ（ｘ）サーバにアクセスし、アカウントベースのＵＲＩ／ＵＲＬを使用してデータをアップロードすることができる（９２８）。すべてのＭＴＣ  ＷＴＲＵを登録する必要がない場合、Ｍ２Ｍ  ＡＦが、事前登録を実行することができ、または第１（マスタまたはアルファ）のＷＴＲＵが、登録を実行することができる（９２４）。それが完了すると、以降のすべてのＭＴＣ  ＷＴＲＵは、Ｍ２Ｍ（ｘ）サーバにアクセスし、アカウントベースのＵＲＩ／ＵＲＬを使用してデータをアップロードすることができる（９２８）。その後、ＭＴＣ  ＷＴＲＵは、制御更新を取得することができる（９３０）。最後の送信が完了した場合（９３２）、Ｍ２Ｍ  ＡＦは、サイクルの終了を知らせることができ、ネットワークは、登録およびＩＰアドレスを維持し、無線リソースを解放することができる（９３４）。その後、ＭＴＣ  ＷＴＲＵは、スリープサイクルを開始することができる（９３６）。そうではなく、これが最後の送信ではない場合（９３２）、ＭＴＣ  ＷＴＲＵは、スリープサイクルを開始することができる（９３６）。
【００７９】
スリープサイクル（９３６）に続いて、Ｍ２Ｍ  ＡＦまたはＭ２Ｍユーザは、個別またはシステムベースの更新を実行すること、個別ＩＤまたはグループＩＤなどのＭＴＣ  ＩＤを有するサービス要求をネットワークに転送することを決定することができる。また、ＭＴＣ  ＷＴＲＵは、スリープサイクルからウェイクアップし、例えば、制御チャネル（ＣＣＨ）またはＩＰマルチキャスト上にシステム更新情報がないか、リスンすることができる（９５０）。ウェイクアップサイクルは、ネットワークによって、ＭＴＣデバイスによってランダムに、事前設定によって、およびそれらの組み合わせによってスケジュールすることができる。
【００８０】
ＭＴＣ  ＷＴＲＵが制御サイクルにあるという判定に応答して（９５２）、ＭＴＣは、一斉呼出メッセージを受信したかどうかを判定することができる（９５６）。一斉呼出メッセージを受信していない場合、ＭＴＣは、システム更新がないか、リスンし続けることができる。一斉呼出メッセージを受信した場合、ＭＴＣは、一斉呼出メッセージがグループ一斉呼出メッセージかどうかを判定することができる（９５８）。一斉呼出メッセージがグループ一斉呼出メッセージではない場合、ＭＴＣ  ＷＴＲＵは、無線リソースの獲得（９６０）に進むことができる。
【００８１】
１つまたは複数のアクションを実行して、無線リソースを獲得した（９６０）後、ＭＴＣ  ＷＴＲＵは、ユーザプレーン無線リソース情報を獲得することができる（９６２）。必要であれば、ＭＴＣ  ＷＴＲＵは、ＵＲＩ／ＵＲＬを使用して、サービス登録を実行することができる（９６４）。ＵＲＩ／ＵＲＬは、Ｍ２Ｍアカウント番号、または電話番号、拡張子、およびＭＳＩＳＤＮなどの他の任意の識別子に基づくことができる。ＭＴＣ  ＷＴＲＵは、Ｍ２Ｍ（ｘ）サーバにアクセスし、アカウントベースのＵＲＩ／ＵＲＬを使用してデータをアップロードすることができる（９６６）。その後、ＭＴＣ  ＷＴＲＵは、スリープサイクルを開始することができる（９３６）。
【００８２】
一斉呼出メッセージがグループ一斉呼出メッセージである場合、アクセスチャネル情報およびＩＰアドレス割り当てを用いたネットワークによるＭＴＣ  ＷＴＲＵの割り当ておよび更新に基づいて、登録方法を再開することができる。更新は、ユーザプレーン無線リソース情報を含むことができる（９１８）。
【００８３】
ＭＴＣ  ＷＴＲＵが制御サイクルにないという判定に応答して、ＭＴＣ  ＷＴＲＵは、報告サイクルを実行することができ（９５４）、アクセスチャネル情報およびＩＰアドレス割り当てを用いたネットワークによるＭＴＣ  ＷＴＲＵの割り当ておよび更新に基づいて、登録方法を再開することができる。更新は、ユーザプレーン無線リソース情報を含むことができる（９１８）。
【００８４】
グループ一斉呼出メッセージが送信されたかどうか、またＭＴＣ  ＷＴＲＵが制御サイクル更新にあるかどうかの判定の後、ＭＴＣ  ＷＴＲＵは、送信を開始することができる。送信は、事前設定された順序に基づいて、ネットワーク定義された順序に基づいて、またはランダムに開始することができる（９２０）。Ｍ２Ｍ運営業者は、すべてのＭＴＣ  ＷＴＲＵがＭ２Ｍサーバに登録することを要求することがある（９２２）。すべてのＭＴＣ  ＷＴＲＵを登録する必要がある場合、各ＭＴＣ  ＷＴＲＵは、ユニフォームリソース識別子／ユニフォームリソースロケーション（ＵＲＩ）／（ＵＲＬ）を使用して、サービス登録を実行することができる（９２６）。ＵＲＩ／ＵＲＬは、Ｍ２Ｍアカウント番号に基づくことができる。ＭＴＣ  ＷＴＲＵは、Ｍ２Ｍ（ｘ）サーバにアクセスし、アカウントベースのＵＲＩ／ＵＲＬを使用してデータをアップロードすることができる（９２８）。すべてのＭＴＣ  ＷＴＲＵを登録する必要がない場合、Ｍ２Ｍ  ＡＦが、事前登録を実行することができ、または第１（マスタまたはアルファ）のＷＴＲＵが、登録を実行することができる（９２４）。それが完了すると、以降のすべてのＭＴＣ  ＷＴＲＵは、Ｍ２Ｍ（ｘ）サーバにアクセスし、アカウントベースのＵＲＩ／ＵＲＬを使用してデータをアップロードすることができる（９２８）。その後、ＭＴＣ  ＷＴＲＵは、制御更新を取得することができる（９３０）。最後の送信が完了した場合（９３２）、Ｍ２Ｍ  ＡＦは、ネットワークからの登録解除を行うことができ、ネットワークは、ＩＰアドレスおよび無線リソースを解放することができる（９３４）。その後、ＭＴＣ  ＷＴＲＵは、スリープサイクルを開始することができる（９３６）。そうではなく、これが最後の送信ではない場合（９３２）、ＭＴＣ  ＷＴＲＵは、スリープサイクルを開始することができる（９３６）。
【００８５】
実施形態
１．無線通信において使用する方法であって、マシンツーマシン（Ｍ２Ｍ）通信中にＭ２Ｍデバイスに定期的な事前登録を提供するステップを含む方法。
【００８６】
２．モバイル端末コントローラ（ＭＴＣ）が、運営業者ドメインの内部に配置される、実施形態１に記載の方法。
【００８７】
３．ＭＴＣサーバが、アプリケーションプログラミングインタフェース（ＡＰＩ）を介してモバイル端末コントローラ（ＭＴＣ）と通信するステップをさらに含む、前記実施形態のいずれかに記載の方法。
【００８８】
４．モバイル端末コントローラを運営業者ドメインの外部に配置するステップをさらに含む、前記実施形態のいずれかに記載の方法。
【００８９】
５．モバイル端末コントローラ（ＭＴＣ）は、ＭＴＣユーザに結合される、前記実施形態のいずれかに記載の方法。
【００９０】
６．モバイル端末コントローラ（ＭＴＣ）のグループは、運営業者ドメインを介して通信し、運営業者ドメインは、アプリケーションプログラミングインタフェース（ＡＰＩ）を介してＭＴＣサーバと通信する、前記実施形態のいずれかに記載の方法。
【００９１】
７．モバイル端末デバイスが、互いに直接的に通信する、前記実施形態のいずれかに記載の方法。
【００９２】
８．ウェイクアップサイクルに基づいて定期的に事前登録を開始するステップをさらに含む、前記実施形態のいずれかに記載の方法。
【００９３】
９．ウェイクアップサイクルを制御サイクルと報告サイクルに分割するステップをさらに含む、前記実施形態のいずれかに記載の方法。
【００９４】
１０．無線送受信ユニット（ＷＴＲＵ）のグループ内の１つまたは複数のＷＴＲＵについてのマシンタイプ通信（ＭＴＣ）事前登録を開始するためのトリガを受信するステップをさらに含む、前記実施形態のいずれかに記載の方法。
【００９５】
１１．ＷＴＲＵのグループ内の１つまたは複数のＷＴＲＵについてのＭＴＣ事前登録を開始するためのサービス要求をネットワークに送信するステップをさらに含む、前記実施形態のいずれかに記載の方法。
【００９６】
１２．ＷＴＲＵのグループ内の１つまたは複数のＷＴＲＵについてのＭＴＣ事前登録の完了を知らせる肯定応答をネットワークから受信するステップをさらに含む、前記実施形態のいずれかに記載の方法。
【００９７】
１３．ＭＴＣ事前登録は、ＷＴＲＵのグループ内の１つまたは複数のＷＴＲＵが、無線リソースを獲得できるようにする、前記実施形態のいずれかに記載の方法。
【００９８】
１４．サービス要求は、セルのリスト、対応するグループアイデンティティ（Ｇ−ＩＤ）のリスト、登録要求、事前登録要求、ＩＰ活動化要求、および時間窓のうちのいずれか１つまたは複数を含む、前記実施形態のいずれかに記載の方法。
【００９９】
１５．サービス要求は、定期的に送信される、前記実施形態のいずれかに記載の方法。
【０１００】
１６．ＭＴＣ事前登録は、ＷＴＲＵのグループ内の１つまたは複数のＷＴＲＵに対するインターネットプロトコル（ＩＰ）アドレス割り当てを使用する、前記実施形態のいずれかに記載の方法。
【０１０１】
１７．ＭＴＣ事前登録は、ＷＴＲＵのグループ内の１つまたは複数のＷＴＲＵが、アカウントベースのユニフォームリソース識別子／ユニフォームリソースロケーション（ＵＲＩ）／（ＵＲＬ）を使用して、データをＭ２Ｍサーバにアップロードできるようにする、前記実施形態のいずれかに記載の方法。
【０１０２】
１８．ＷＴＲＵのグループ内の１つまたは複数のＷＴＲＵについてのネットワークからのＭＴＣ登録解除を開始するためのトリガを受信するステップであって、トリガは、ＷＴＲＵのグループ内の最後のＷＴＲＵから信号を受信することを含む、ステップをさらに含む、前記実施形態のいずれかに記載の方法。
【０１０３】
１９．ＷＴＲＵのグループ内の１つまたは複数のＷＴＲＵについてのＩＰアドレスの解放および無線リソースの解放を行うためのトリガを受信するステップであって、トリガは、ＷＴＲＵのグループ内の最後のＷＴＲＵから信号を受信することを含む、ステップをさらに含む、前記実施形態のいずれかに記載の方法。
【０１０４】
２０．ＷＴＲＵのグループ内の１つまたは複数のＷＴＲＵについての報告サイクルを開始するためのトリガを受信するステップをさらに含む、前記実施形態のいずれかに記載の方法。
【０１０５】
２１．ＷＴＲＵのグループ内の１つのＷＴＲＵについての制御サイクルを開始するためのトリガを受信するステップをさらに含む、前記実施形態のいずれかに記載の方法。
【０１０６】
２２．ＷＴＲＵがスリープサイクルからウェイクアップし、システム更新情報がないかリスンすることを含む、ＭＴＣ事前登録を実行するステップをさらに含む、前記実施形態のいずれかに記載の方法。
【０１０７】
２３．ＷＴＲＵが制御サイクルにあるかどうかを判定することを含む、ＭＴＣ事前登録を実行するステップをさらに含む、前記実施形態のいずれかに記載の方法。
【０１０８】
２４．ＷＴＲＵが制御サイクルにあるという判定に応答して、ＷＴＲＵが一斉呼出メッセージを受信したかどうかを判定することを含む、ＭＴＣ事前登録を実行するステップをさらに含む、前記実施形態のいずれかに記載の方法。
【０１０９】
２５．ＷＴＲＵが一斉呼出メッセージを受信していないという判定に応答して、システム更新情報がないかリスンすることを含む、ＭＴＣ事前登録を実行するステップをさらに含む、前記実施形態のいずれかに記載の方法。
【０１１０】
２６．ＷＴＲＵが一斉呼出メッセージを受け取ったという判定に応答して、受信した一斉呼出メッセージがグループ一斉呼出メッセージであるかどうかを判定することを含む、ＭＴＣ事前登録を実行するステップをさらに含む、前記実施形態のいずれかに記載の方法。
【０１１１】
２７．ＷＴＲＵが制御サイクルにないという判定に応答して、報告サイクルを開始することを含む、ＭＴＣ事前登録を実行するステップをさらに含む、前記実施形態のいずれかに記載の方法。
【０１１２】
２８．無線リソースを獲得することを含む、ＭＴＣ事前登録を実行するステップをさらに含む、前記実施形態のいずれかに記載の方法。
【０１１３】
２９．ＩＰアドレスを獲得することを含む、ＭＴＣ事前登録を実行するステップをさらに含む、前記実施形態のいずれかに記載の方法。
【０１１４】
３０．無線リソースを獲得したことに応答して、ＩＰアドレスを獲得するステップをさらに含む、前記実施形態のいずれかに記載の方法。
【０１１５】
３１．ＩＰアドレスは、Ｍ２ＭベースのＩＰアドレスである、前記実施形態のいずれかに記載の方法。
【０１１６】
３２．ＭＴＣ事前登録は、ユーザプレーン無線リソース情報を獲得することを含む、前記実施形態のいずれかに記載の方法。
【０１１７】
３３．ＭＴＣ事前登録は、ＵＲＬまたはＵＲＩによるＷＴＲＵとの関連付けを使用することを含む、前記実施形態のいずれかに記載の方法。
【０１１８】
３４．ＭＴＣ事前登録は、Ｍ２Ｍサーバにアクセスすることを含む、前記実施形態のいずれかに記載の方法。
【０１１９】
３５．Ｍ２Ｍサーバにデータをアップロードすることを含む、ＭＴＣ事前登録を実行するステップをさらに含む、前記実施形態のいずれかに記載の方法。
【０１２０】
３６．ＵＲＬまたはＵＲＩは、ＷＴＲＵに関連付けられたアカウントに関連付けられる、前記実施形態のいずれかに記載の方法。
【０１２１】
３７．ＭＴＣ登録解除は、無線リソースを解放すること、およびＩＰアドレスを解放することを含む、前記実施形態のいずれかに記載の方法。
【０１２２】
３８．最後の送信に応答して、またはアウェイクサイクルの最終期間に応答して、ＩＰアドレスを解放するステップをさらに含む、前記実施形態のいずれかに記載の方法。
【０１２３】
３９．ＭＴＣ事前登録は、スリープサイクル中にわたって登録ステータスを維持することを含む、前記実施形態のいずれかに記載の方法。
【０１２４】
４０．ＭＴＣ事前登録は、スリープサイクル中にわたってＩＰアドレスを維持することを含む、前記実施形態のいずれかに記載の方法。
【０１２５】
４１．ＭＴＣ事前登録は、グループ識別子（ＩＤ）を使用することを含む、前記実施形態のいずれかに記載の方法。
【０１２６】
４２．ＭＴＣ事前登録は、ＷＴＲＵを認可することを含む、前記実施形態のいずれかに記載の方法。
【０１２７】
４３．ＭＴＣ事前登録は、ＷＴＲＵを認証することを含む、前記実施形態のいずれかに記載の方法。
【０１２８】
４４．ＭＴＣ事前登録は、状態機械を使用することを含む、前記実施形態のいずれかに記載の方法。
【０１２９】
４５．状態機械を開始することを含む、状態機械を使用するステップをさらに含む、前記実施形態のいずれかに記載の方法。
【０１３０】
４６．ＭＴＣグループに関連付けられた状態機械をさらに含む、前記実施形態のいずれかに記載の方法。
【０１３１】
４７．ＭＴＣ事前登録は、グループベースのＰ−ＴＭＳＩを割り当てることを含む、前記実施形態のいずれかに記載の方法。
【０１３２】
４８．ＭＴＣ事前登録は、ＩＰアドレス割り当てをトリガすることを含む、前記実施形態のいずれかに記載の方法。
【０１３３】
４９．マシンツーマシン（Ｍ２Ｍ）アプリケーション機能（ＡＦ）によって開始されるＩＰアドレス割り当てをトリガするステップをさらに含む、前記実施形態のいずれかに記載の方法。
【０１３４】
５０．マシンツーマシン（Ｍ２Ｍ）ユーザによって開始されるＩＰアドレス割り当てをトリガするステップをさらに含む、前記実施形態のいずれかに記載の方法。
【０１３５】
５１．グループベースのＩＰアドレスを割り当てることを含む、ＭＴＣ事前登録を実行するステップをさらに含む、前記実施形態のいずれかに記載の方法。
【０１３６】
５２．グループベースのＩＰアドレスを活動化することを含む、ＭＴＣ事前登録を実行するステップをさらに含む、前記実施形態のいずれかに記載の方法。
【０１３７】
５３．ＩＰアドレス活動化を通知することを含む、ＭＴＣ事前登録を実行するステップをさらに含む、前記実施形態のいずれかに記載の方法。
【０１３８】
５４．割り当て情報を受信することを含む、ＭＴＣ事前登録を実行するステップをさらに含む、前記実施形態のいずれかに記載の方法。
【０１３９】
５５．アクセスチャネル情報を含む情報を割り当てるステップをさらに含む、前記実施形態のいずれかに記載の方法。
【０１４０】
５６．ＩＰアドレス情報を含む情報を割り当てるステップをさらに含む、前記実施形態のいずれかに記載の方法。
【０１４１】
５７．ユーザプレーン無線リソース情報を含む情報を割り当てるステップをさらに含む、前記実施形態のいずれかに記載の方法。
【０１４２】
５８．事前設定された順序に従って送信することを含む、ＭＴＣ事前登録を実行するステップをさらに含む、前記実施形態のいずれかに記載の方法。
【０１４３】
５９．ネットワーク設定された順序に従って送信することを含む、ＭＴＣ事前登録を実行するステップをさらに含む、前記実施形態のいずれかに記載の方法。
【０１４４】
６０．ランダムな順序に従って送信することを含む、ＭＴＣ事前登録を実行するステップをさらに含む、前記実施形態のいずれかに記載の方法。
【０１４５】
６１．Ｍ２Ｍ  ＡＦが事前登録を開始するステップをさらに含む、前記実施形態のいずれかに記載の方法。
【０１４６】
６２．第１のＷＴＲＵを使用して、登録を開始することを含む、ＭＴＣ事前登録を実行するステップをさらに含む、前記実施形態のいずれかに記載の方法。
【０１４７】
６３．Ｍ２Ｍ  ＡＦは、実施形態１〜６２のいずれか１つに記載の方法を実行するように構成される、前記実施形態のいずれかに記載の方法。
【０１４８】
６４．Ｍ２Ｍ  ＡＦは、プロセッサ、無線送信機、無線受信機、有線送信機、有線受信機、無線送受信機、有線送受信機、ディスプレイ、マイクロフォン、アンテナ、揮発性メモリデバイス、または不揮発性メモリデバイスを含む、前記実施形態のいずれかに記載の方法。
【０１４９】
６５．Ｍ２Ｍ  ＡＰは、マイクロ波アクセス用の世界的相互運用性（ＷｉＭＡＸ）、無線ブロードバンド（ＷｉＢｒｏ）、移動体通信用グローバルシステム（ＧＳＭ）、ＧＳＭ進化型高速データレート（ＥＤＧＥ）無線アクセスネットワーク（ＧＥＲＡＮ）、電気電子技術者協会（ＩＥＥＥ）８０２．１１ｘ、ＵＭＴＳ地上無線アクセスネットワーク（ＵＴＲＡＮ）、ロングタームエボリューション（ＬＴＥ）、ＬＴＥアドバンスト（ＬＴＥ−Ａ）、または符号分割多元接続２０００（ＣＤＭＡ２０００）を使用して、使用する無線データを伝達するように構成される、前記実施形態のいずれかに記載の方法。
【０１５０】
６６．無線送受信ユニット（ＷＴＲＵ）は、実施形態１〜６２のいずれか１つに記載の方法を実行するように構成される、前記実施形態のいずれかに記載の方法。
【０１５１】
６７．ＷＴＲＵは、プロセッサ、無線送信機、無線受信機、有線送信機、有線受信機、無線送受信機、有線送受信機、ディスプレイ、マイクロフォン、アンテナ、揮発性メモリデバイス、または不揮発性メモリデバイスを含む、前記実施形態のいずれかに記載の方法。
【０１５２】
６８．ＷＴＲＵは、ＭＴＣ  ＷＴＲＵである、前記実施形態のいずれかに記載の方法。
【０１５３】
６９．ＷＴＲＵは、マイクロ波アクセス用の世界的相互運用性（ＷｉＭＡＸ）、無線ブロードバンド（ＷｉＢｒｏ）、移動体通信用グローバルシステム（ＧＳＭ）、ＧＳＭ進化型高速データレート（ＥＤＧＥ）無線アクセスネットワーク（ＧＥＲＡＮ）、電気電子技術者協会（ＩＥＥＥ）８０２．１１ｘ、ＵＭＴＳ地上無線アクセスネットワーク（ＵＴＲＡＮ）、ロングタームエボリューション（ＬＴＥ）、ＬＴＥアドバンスト（ＬＴＥ−Ａ）、または符号分割多元接続２０００（ＣＤＭＡ２０００）を使用して、使用する無線データを伝達するように構成される、前記実施形態のいずれかに記載の方法。
【０１５４】
７０．Ｍ２Ｍサーバは、実施形態１〜６２のいずれか１つに記載の方法を実行するように構成される、前記実施形態のいずれかに記載の方法。
【０１５５】
７１．Ｍ２Ｍサーバは、プロセッサ、無線送信機、無線受信機、有線送信機、有線受信機、無線送受信機、有線送受信機、ディスプレイ、マイクロフォン、アンテナ、揮発性メモリデバイス、または不揮発性メモリデバイスを含む、前記実施形態のいずれかに記載の方法。
【０１５６】
７２．Ｍ２Ｍサーバは、マイクロ波アクセス用の世界的相互運用性（ＷｉＭＡＸ）、無線ブロードバンド（ＷｉＢｒｏ）、移動体通信用グローバルシステム（ＧＳＭ）、ＧＳＭ進化型高速データレート（ＥＤＧＥ）無線アクセスネットワーク（ＧＥＲＡＮ）、電気電子技術者協会（ＩＥＥＥ）８０２．１１ｘ、ＵＭＴＳ地上無線アクセスネットワーク（ＵＴＲＡＮ）、ロングタームエボリューション（ＬＴＥ）、ＬＴＥアドバンスト（ＬＴＥ−Ａ）、または符号分割多元接続２０００（ＣＤＭＡ２０００）を使用して、伝達するように構成される、前記実施形態のいずれかに記載の方法。
【０１５７】
７３．ネットワークノードが、実施形態１〜６２のいずれか１つに記載の方法を実行するように構成される、前記実施形態のいずれかに記載の方法。
【０１５８】
７４．ネットワークノードは、プロセッサ、無線送信機、無線受信機、有線送信機、有線受信機、無線送受信機、有線送受信機、ディスプレイ、マイクロフォン、アンテナ、揮発性メモリデバイス、または不揮発性メモリデバイスを含む、前記実施形態のいずれかに記載の方法。
【０１５９】
７５．ネットワークノードは、マイクロ波アクセス用の世界的相互運用性（ＷｉＭＡＸ）、無線ブロードバンド（ＷｉＢｒｏ）、移動体通信用グローバルシステム（ＧＳＭ）、ＧＳＭ進化型高速データレート（ＥＤＧＥ）無線アクセスネットワーク（ＧＥＲＡＮ）、電気電子技術者協会（ＩＥＥＥ）８０２．１１ｘ、ＵＭＴＳ地上無線アクセスネットワーク（ＵＴＲＡＮ）、ロングタームエボリューション（ＬＴＥ）、ＬＴＥアドバンスト（ＬＴＥ−Ａ）、または符号分割多元接続２０００（ＣＤＭＡ２０００）を使用して、伝達するように構成される、前記実施形態のいずれかに記載の方法。
【０１６０】
７６．集積回路が、実施形態１〜６２のいずれか１つに記載の方法を実行するように構成される、前記実施形態のいずれかに記載の方法。
【０１６１】
上では特徴および要素を特定の組み合わせで説明したが、各特徴または要素を単独で、または他の特徴および要素との任意の組み合わせで使用できることを当業者であれば理解されよう。加えて、本明細書で説明した方法は、コンピュータまたはプロセッサによって実行する、コンピュータ可読媒体内に包含された、コンピュータプログラム、ソフトウェア、またはファームウェアで実施することができる。コンピュータ可読媒体の例は、（有線接続または無線接続を介して送信される）電子信号と、コンピュータ可読記憶媒体とを含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、これらに限定されない。ソフトウェアと連携するプロセッサは、ＷＴＲＵ、ＵＥ、端末、基地局、ＲＮＣ、または任意のホストコンピュータにおいて使用する無線周波数送受信機を実装するために使用することができる。
【産業上の利用可能性】
【０１６２】
本発明は、一般的に無線通信システムに利用することができる。
【符号の説明】
【０１６３】
１００  無線通信システム
１０２、１０２ａ、１０２ｂ、１０２ｃ、１０２ｄ  無線素受信ユニット
１０４  ＲＡＮ
１０６  コアネットワーク
１０８  公衆交換電話網（ＰＳＴＮ）
１１０  インターネット
１１２    ネットワーク
１１４Ａ、１１４Ｂ  
１１８  プロセッサ
１２０  送受信機
１２２  アンテナ
【図１Ａ】
2014147133.tif 000004
【図１Ｂ】
2014147133.tif 000005
【図１Ｃ】
2014147133.tif 000006
【図２】
2014147133.tif 000007
【図３】
2014147133.tif 000008
【図４】
2014147133.tif 000009
【図５】
2014147133.tif 000010
【図６】
2014147133.tif 000011
【図７】
2014147133.tif 000012
【図８Ａ】
2014147133.tif 000013
【図８Ｂ】
2014147133.tif 000014
【図９Ａ】
2014147133.tif 000015
【図９Ｂ】
2014147133.tif 000016